(57)【要約】【課題】遊技盤に対する不正なアクセスを防止しつつ、ファール球を効率よく再使用することが可能な弾球遊技機を提供する。【解決手段】上球皿２１０から発射機構へ遊技球を流下させる球供給通路２０１は、上球皿２１０の後側において左右方向に下傾して延びる傾斜通路部２１２と、傾斜通路部２１２の下流端から略鉛直下方に折れ曲がって延びる鉛直通路部２３１とを有しており、上球皿２１０の後側に、発射機構と外レール部との間に設けられたファール球回収口３５６に落入した遊技球を、球供給通路２０１における傾斜通路部２１２の下流端近傍に導くファール球回収通路３５７が設けられている。【選択図】図２０
2015202194.tif 000002
【特許請求の範囲】
【請求項１】
前面側に遊技球を用いた遊技を行う遊技領域が設けられた遊技盤と、
前記遊技盤を保持する枠部材と、
前記枠部材における前記遊技盤の下方に設けられて遊技球を貯留する球皿と、
前記枠部材における前記球皿の後方側に設けられ、前記球皿に貯留された遊技球を前記遊技領域に向けて打ち出す発射機構と、
前記球皿の後側に繋がって設けられ、前記球皿から前記発射機構へ遊技球を流下させる球供給通路部とを備え、
前記遊技盤の前面側に、前記発射機構により打ち出された遊技球を前記遊技領域に導く飛送レールが設けられており、
前記球皿の後側に、前記発射機構と前記飛送レールとの間に設けられたファール球回収口に落入した遊技球を前記球供給通路部に導くファール球回収通路部が設けられていることを特徴とする弾球遊技機。
【請求項２】
前記球供給通路部は、前記球皿の後側において左右方向に下傾して延びる傾斜通路部と、前記傾斜通路部の下流端から略鉛直下方に折れ曲がって延びる鉛直通路部とを有し、
前記ファール球回収通路部は、前記ファール球回収口に落入した遊技球を前記傾斜通路部の下流端近傍に導くことを特徴とする請求項１に記載の弾球遊技機。
【発明の詳細な説明】
【技術分野】
【０００１】
本発明は、ぱちんこ遊技機等の弾球遊技機に関する。
【背景技術】
【０００２】
ぱちんこ遊技機に代表される弾球遊技機は、遊技球による遊技を行う遊技領域が設けられた遊技盤を保持する枠部材に、払出装置および各種制御基板が装着された裏機構盤が取り付けられて構成される。そして、発射機構により遊技領域の上側に打ち出した遊技球を落下させる過程で、遊技領域内に設けた各種の入賞装置に入賞させる遊技が行われる。枠部材の下部前面側には遊技球を貯留するための上球皿が設けられ、上球皿に貯留された遊技球が整流器により１球ずつ発射機構に送られる。また、枠部材における上球皿の下方には遊技球を貯留可能な下球皿が設けられ、発射機構から打ち出されて遊技領域に到達できずに戻ってくる遊技球は、ファール球としてファール球回収口に落入し、ファール球回収通路を通って下球皿に排出されるようになっている。
【先行技術文献】
【特許文献】
【０００３】
【特許文献１】特開平８−２５２３７２号公報
【発明の概要】
【発明が解決しようとする課題】
【０００４】
しかしながら、従来の弾球遊技機では、ファール球が下球皿に排出されるため、ファール球を遊技球として再使用するには、遊技者が下球皿に排出されたファール球を手作業で上球皿に戻す必要があり、手間が掛かっていた。これに対し、ファール球を賞球と同様にして上球皿に排出する構成も考えられるが（例えば、特許文献１を参照）、不正な工具等を挿入しやすい上球皿の球排出口から、ファール球回収通路を介して遊技盤に不正にアクセスされるおそれがあった。
【０００５】
本発明は、このような課題に鑑みてなされたものであり、遊技盤に対する不正なアクセスを防止しつつ、ファール球を効率よく再使用することが可能な弾球遊技機を提供することを目的とする。
【課題を解決するための手段】
【０００６】
このような目的達成のため、本発明に係る弾球遊技機は、前面側に遊技球を用いた遊技を行う遊技領域が設けられた遊技盤と、前記遊技盤を保持する枠部材と、前記枠部材における前記遊技盤の下方に設けられて遊技球を貯留する球皿と、前記枠部材における前記球皿の後方側に設けられ、前記球皿に貯留された遊技球を前記遊技領域に向けて打ち出す発射機構と、前記球皿の後側に繋がって設けられ、前記球皿から前記発射機構へ遊技球を流下させる球供給通路部とを備え、前記遊技盤の前面側に、前記発射機構により打ち出された遊技球を前記遊技領域に導く飛送レールが設けられており、前記球皿の後側に、前記発射機構と前記飛送レールとの間に設けられたファール球回収口に落入した遊技球を前記球供給通路部に導くファール球回収通路部が設けられている。
【発明の効果】
【０００７】
本発明によれば、遊技盤に対する不正なアクセスを防止しつつ、ファール球を効率よく再使用することができる。
【図面の簡単な説明】
【０００８】
【図１】第１実施形態のぱちんこ遊技機の正面図である。
【図２】第１実施形態のぱちんこ遊技機を後方から見た斜視図である。
【図３】第１実施形態のぱちんこ遊技機からガラス枠を取り外した状態を示す斜視図である。
【図４】遊技補助盤の正面拡大図である。
【図５】遊技補助盤の分解斜視図である。
【図６】第１実施形態のぱちんこ遊技機から発射ハンドルを取り外した状態を示す斜視図である。
【図７】整流器および発射機構を前方から見た斜視図である。
【図８】整流器および発射機構を後方から見た斜視図である。
【図９】整流器の分解斜視図である。
【図１０】発射機構の正面図である。
【図１１】補助盤カバーの斜視図である。
【図１２】第１実施形態のぱちんこ遊技機の側断面図である。
【図１３】第１実施形態のぱちんこ遊技機の電気的な接続を示すブロック図である。
【図１４】ガラス枠の分解斜視図である。
【図１５】球皿ユニットの分解斜視図である。
【図１６】第１実施形態において通路切り換え部材が球供給位置に位置する状態を示す背面図である。
【図１７】通路切り換え部材が球抜き位置に位置する状態を示す背面図である。
【図１８】（ａ）は通路切り換え部材が球供給位置に位置する状態を示す側断面図であり、（ｂ）は通路切り換え部材が球抜き位置に位置する状態を示す側断面図である。
【図１９】第２実施形態のぱちんこ遊技機の正面拡大図である。
【図２０】第２実施形態において通路切り換え部材が球供給位置に位置する状態を示す背面図である。
【図２１】第２実施形態のぱちんこ遊技機の平断面図である。
【図２２】第３実施形態のぱちんこ遊技機においてガラス枠を開いた状態を示す正面図である。
【図２３】第３実施形態のぱちんこ遊技機の電気的な接続を示すブロック図である。
【図２４】ぱちんこ遊技機の変形例を示す分解斜視図である。
【図２５】ぱちんこ遊技機の変形例を示す拡大斜視図である。
【発明を実施するための形態】
【０００９】
［第１実施形態］
以下、本発明の好ましい実施形態について図面を参照して説明する。第１実施形態に係る弾球遊技機としてぱちんこ遊技機ＰＭ１を図１〜図３に示しており、まず、この図を参照してぱちんこ遊技機ＰＭ１の全体構成について説明する。以下の第１〜第３実施形態において、図２の各矢印で示す方向をそれぞれ、上下方向、前後方向、左右方向として説明する。
【００１０】
［ぱちんこ遊技機の全体構成］
始めに、第１実施形態に係るぱちんこ遊技機ＰＭ１の前面側の基本構造を説明する。ぱちんこ遊技機ＰＭ１は、図１に示すように、外郭方形枠サイズに構成された縦向きの固定保持枠をなす外枠１と、これに合わせた方形枠サイズに構成されて開閉搭載枠をなす前枠２とを主体に構成される。前枠２は、外枠１および前枠２の左側縁部に配設された上下のヒンジ機構３ａ，３ｂにより、外枠１の前側開口部に対して横開き開閉および着脱が可能に取り付けられる。また、前枠２は、右側縁部に設けられたダブル錠と称される施錠装置４を利用して、常には外枠１と係合連結された閉鎖状態に保持される。
【００１１】
前枠２の前面側には、この前枠２の上部前面域に合わせた方形状のガラス枠５が上下のヒンジ機構３ａ，３ｂを利用して横開き開閉および着脱可能に組み付けられる。ガラス枠５は、上述の施錠装置４を利用して、常には前枠２の前面を覆う閉鎖状態に保持される。前枠２の上部に遊技盤１０が着脱可能にセット保持され、常には閉鎖保持されるガラス枠５の複層ガラス５ａを通して、遊技盤１０の前面に設けられた遊技領域ＰＡを視認可能に臨ませるようになっている。
【００１２】
遊技盤１０は、図３に示すように、透明の樹脂材料を用いて板状に形成されたベース部材１１の前面側に、内外のレール部１２，１３により囲まれて略円形状の遊技領域ＰＡが形成されるようになっている。詳細な図示を省略するが、遊技盤１０の遊技領域ＰＡには、多数本の遊技釘とともに、遊技球が入球可能な一般入賞装置、始動入賞装置、大入賞装置等の各種入賞装置（図示せず）、遊技の展開状態に応じて演出を行う演出表示装置、可動装飾装置を備えたセンター飾り（図示せず）等が取り付けられている。また、遊技領域ＰＡの下端部には、遊技球が通過可能なアウト口１８が形成されている。
【００１３】
外レール部１２は、下側が開いた円弧状に形成されており、発射機構１５０から発射された遊技球を遊技領域ＰＡへ導くようになっている。内レール部１３は、右側が開いた円弧状に形成されており、遊技盤１０（ベース部材１１）の前面において外レール部１２の左側部分に対し所定間隔を空けるように配設されることで、外レール部１２の左側部分との間に発射通路１５が形成されるようになっている。なお、この発射通路１５は、発射機構１５０と遊技領域ＰＡとに通じており、遊技球が通過可能に構成されている。
【００１４】
ガラス枠５の下部には、遊技球を貯留する球皿ユニット部２００の上下の球皿（上球皿２１０および下球皿２２０）が設けられる。なお、詳細は後述するが、下球皿２２０は、ガラス枠５の左右の中心に対して左側に寄って配置される。これにより、ガラス枠５（球皿ユニット部２００）の下部における下球皿２２０の右方には、例えば、所定の演出操作を行うための演出操作手段６１（図１３を参照）、演出を行うための可動演出装置６２（図１３を参照）、遊技球の貸球操作を行うための貸球操作手段６３（図１３を参照）等の電気部品を取り付けることができる。ガラス枠５の上部前面側には、発光ダイオード（ＬＥＤ）やランプ等の電飾装置（図示せず）や、遊技の展開状態に応じて効果音を発生させるスピーカ８が設けられる。
【００１５】
前枠２の右下部には、遊技球の発射操作を行う発射ハンドル９が設けられる。前枠２の下部におけるガラス枠５の後側の領域（以降、遊技補助盤２０と称する）には、上球皿２１０に貯留された遊技球を１球ずつ送り出す整流器１００、整流器１００から送り出された遊技球を遊技領域ＰＡに向けて打ち出す発射機構１５０、発射機構１５０の作動を制御する発射制御装置１８０（発射制御基板１８１）等が設けられる。
【００１６】
続いて、ぱちんこ遊技機ＰＭ１の後面側の基本構造を説明する。図２に示すように、前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留するタンク部材３３、タンク部材３３から供給される遊技球を流下させる樋部材３４、樋部材３４を流下する遊技球を払い出す賞球払出ユニット３５、賞球払出ユニット３５から払い出された遊技球を上球皿２１０もしくは下球皿２２０に流下させる裏側通路部材３６等が設けられている。
【００１７】
遊技盤１０の後面側には、ぱちんこ遊技機ＰＭ１の作動を統括的に制御する主制御基板４０や、遊技展開に応じた画像表示、効果照明、効果音等の演出全般の制御を行う副制御基板４１（図１３を参照）等が取り付けられている。これに対して、裏機構盤３０の後面側には、遊技球の払い出しに関する制御を行う払出制御基板４２（図１３を参照）や、遊技施設側から受電して各種制御基板や電気・電子部品に電力を供給する電源基板（図示せず）等が取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭ１は、外枠１が遊技施設の遊技島（設置枠台）に固定設置され、前枠２、ガラス枠５等が閉鎖施錠された状態で遊技に供され、上球皿２１０に遊技球を貯留させて発射ハンドル９を回動操作することにより遊技が開始される。発射ハンドル９が回動操作されると、上球皿２１０に貯留された遊技球が、整流器１００によって１球ずつ発射機構１５０に送り出され、発射機構１５０により遊技領域ＰＡに打ち出されて、以降パチンコゲームが展開される。
【００１９】
［遊技補助盤の構成］
次に、図４〜図１２を追加参照して、遊技補助盤２０の詳細について説明する。遊技補助盤２０は、図４に示すように、前枠２の下部における中央から左側に掛けて形成される。遊技補助盤２０には、整流器１００と、発射機構１５０と、発射制御装置１８０と、中継基板ユニット１８５と、補助盤カバー１９０とが取り付けられる。
【００２０】
図５に示すように、遊技補助盤２０の右側に発射装置取付部２１が形成され、発射装置取付部２１に対して左側から順に、発射機構１５０と発射制御装置１８０とが左右に隣り合って並ぶように取り付けられる。発射装置取付部２１の右方には、発射ハンドル９が配設される。発射ハンドル９は、図６にも示すように、ハンドルベース９１とともにユニット化されて前枠２の右下部に取り付けられる。なお、ハンドルベース９１の上側には、前枠２の右下部における施錠装置４の周辺部を覆うキーカバー９２が取り付けられる。これにより、図４に示すように、前枠２の前面側において、発射ハンドル９と、発射制御装置１８０と、発射機構１５０とが、この順に右側から左側へ並んで配置され、これらの電気的な接続を単純化することが可能になる。また、発射ハンドル９が、ガラス枠５（球皿ユニット部２００）と別体に前枠２の右下部に取り付けられるため、発射ハンドル９の設計的な取り付け角度を、例えば前枠２に対して垂直な取り付け角度と異なる角度に、容易に変更することができる。なお、発射装置取付部２１には、発射機構１５０の外周部前方を覆う不図示の発射カバー（図示せず）が取り付けられ、この発射カバーの前部に、整流器１００が発射機構１５０の前面側に重なって取り付けられるようになっている。
【００２１】
また、図５に示すように、遊技補助盤２０の中央左側に補助盤カバー取付部２２が形成され、補助盤カバー１９０が補助盤カバー取付部２２に取り付けられて発射機構１５０の左側に配置されるようになっている。遊技補助盤２０の左側に中継基板取付部２３が形成され、中継基板ユニット１８５が中継基板取付部２３に取り付けられて補助盤カバー１９０の左側に配置されるようになっている。
【００２２】
整流器１００は、図７〜図９に示すように、第１ケース部材１１０と、第２ケース部材１２０と、球送り部材１３０と、整流ソレノイド１４０とを有して構成される。第１ケース部材１１０は、透明の樹脂材料を用いて、第２ケース部材１２０の開口部を覆う板状に形成される。第２ケース部材１２０は、透明の樹脂材料を用いて、前方に開口部を有する箱状に形成される。第１ケース部材１１０と第２ケース部材１２０とは、それぞれの四隅に形成された係合部を互いに係合させることにより、箱型に組み立てられる。箱型に組み立てられた第１ケース部材１１０および第２ケース部材１２０の内部には、上球皿２１０から繋がる球供給通路２０１（図１６を参照）を流下した遊技球を１球ずつ発射機構１５０に送るための整流通路１０１が形成される。
【００２３】
第１ケース部材１１０の前壁部上側には、球供給通路２０１の下流側と整流通路１０１の上流側とを連通させる球入口１１１が形成されており、球供給通路２０１の下流端に達した遊技球がガラス枠５の連通穴部５３（図１８（ａ）を参照）およびこの球入口１１１を通過して整流通路１０１を流下するようになっている。また、第１ケース部材１１０の前壁部中間には、球送り部材１３０に形成された揺動ストッパ１３５が挿通される揺動規制穴１１２が形成されている。
【００２４】
第２ケース部材１２０の内側には、図９に示すように、整流通路１０１を形成する通路床部１２１、軸部材１３５と係合して球送り部材１３０を揺動自在に支持する支持穴部１２３、整流ソレノイド１４０が取り付け固定されるソレノイド取付部１２４等が形成される。第２ケース部材１２０の後壁部上側には、整流通路１０１の下流側に繋がる球出口１２２が形成されており、整流通路１０１の下流端に達した遊技球がこの球出口１２２を通過して発射機構１５０の発射レール１７３上に流下するようになっている。球出口１２２の左側縁部には、ブロック状のガイド部１２５が後方へ突出するように形成されており、球出口１２２を通過する遊技球の側方をガイドするようになっている。第２ケース部材１２０の下端部には、固定爪部１２６が形成されており、発射機構１５０の外周部前方を覆う発射カバー（図示せず）の下部にこの固定爪部１２６が係止して、整流器１００が発射カバーに取り付け固定されるようになっている。
【００２５】
球送り部材１３０は、図９に示すように、樹脂材料を用いて図示する形状に形成され、球受容部１３１と、球送りレール部１３２と、棹部１３３とを有して構成される。また、球送り部材８０は、軸部材１３５を用いて、箱型に組み立てられた第１ケース部材１１０および第２ケース部材１２０の内部に揺動自在に取り付けられる。球送り部材１３０の側部には、第１ケース部材１１０の揺動規制穴１１２に挿通される突起状の揺動ストッパ１３４が形成され、揺動規制穴１１２の形状により球送り部材１３０の揺動範囲が規制されるようになっている。これにより、球受容部１３１が整流通路１０１を閉塞して球送りレール部１３２が球出口１２２を開放する球出口開放位置と、球受容部１３１が整流通路１０１を開通して球送りレール部１３２が球出口１２２を閉鎖する球出口閉鎖位置との間で、球送り部材１３０が揺動可能に構成される。
【００２６】
球受容部１３１は略Ｌ字形に形成され、球受容部１３１の下部に軸部材１３５が連結される。そして、球受容部１３１は、球送り部材１３０が球出口閉鎖位置に変位すると、球受容部１３１の上部が整流通路１０１を開通するように右方へ揺動して、整流通路１０１を流下する遊技球を１球だけ受け入れて保持し、球送り部材１３０が球出口開放位置に変位すると、球受容部１３１の上部が整流通路１０１を閉塞するように左方へ揺動して、保持した遊技球を球送りレール部１３２へ送るようになっている。
【００２７】
球送りレール部１３２は、基端部が球受容部１３１の下部に繋がるとともに、先端部が第２ケース部材１２０の球出口１２２から後方へ突出して伸びる板状に形成される。そして、球送りレール部１３２は、球送り部材１３０が球出口閉鎖位置に変位すると、球出口１２２を閉鎖し、球送り部材１３０が球出口開放位置に変位すると、球出口１２２を開放して球受容部１３１から送られた遊技球を発射機構１５０の発射レール１７３上に流下させるようになっている。なお、球送りレール部１３２の上面は、先端部に向けて下傾するだけでなく、ガイド部１２５に向けても下傾しており、遊技球がガイド部１２５に沿って球送りレール部１３２上を転がるようになっている。
【００２８】
棹部１３３は、球受容部１３１の下端部から下方へ伸びる棒状に形成され、球送り部材１３０が球出口開放位置に変位すると、整流ソレノイド１４０に当接（もしくは隣接）するようになっている。棹部１３３の内部には、永久磁石１３６が取り付けられている。
【００２９】
整流ソレノイド１４０は、図９に示すように、箱型に組み立てられた第１ケース部材１１０および第２ケース部材１２０の内部における棹部１３３の近傍に取り付けられる。整流ソレノイド１４０には不図示のソレノイド制御基板（図示せず）が電気的に接続されており、ソレノイド制御基板から出力された駆動信号により整流ソレノイド１４０が駆動される。整流ソレノイド１４０がオン作動すると、整流ソレノイド１４０から発生した磁力を受けて、永久磁石１３６が整流ソレノイド１４０から離れる方向へ移動し、永久磁石１３６が取り付けられた球送り部材１３０が球出口閉鎖位置に揺動変位するようになっている。一方、整流ソレノイド１４０がオフ作動すると、永久磁石１３６が重力の作用により下方へ移動し、永久磁石１３６が取り付けられた球送り部材１３０が球出口開放位置に揺動変位するようになっている。
【００３０】
発射機構１５０は、図１０に示すように、その構成を大別すると、遊技球を打ち出す発射機構部１６０と、打ち出された遊技球を外レール部１２（発射通路１５）に案内する発射レール部１７０とに分類される。発射機構部１６０は、遊技球を打ち出すハンマ１６１と、ハンマ１６１を揺動駆動するロータリソレノイド１６３と、揺動するハンマ１６１を受け止める２つのストッパ部材１６５，１６６とを有して構成される。
【００３１】
一方、発射レール部１７０は、遊技補助盤２０の発射装置取付部２１に取り付けられるベースプレート１７１と、このベースプレート１７１に取り付けられて斜めに延びる横断面がＶ字状の発射レール１７３と、発射レール１７３のレール面と対向して設けられ遊技球を発射レール１７３の傾斜下端に位置する打撃位置に留置する発射球ホルダ１７５とを有して構成される。ベースプレート１７１は、金属材料もしくは樹脂材料を用いて板状に形成され、ネジ等の固定手段（図示せず）を用いて遊技補助盤２０の発射装置取付部２１の前面左側に取り付け固定される。
【００３２】
ベースプレート１７１の前面側には、発射レール１７３や発射球ホルダ１７５、発射機構部１６０の２つのストッパ部材１６５，１６６等が取り付けられる。一方、ベースプレート１７１の後面側には、発射機構部１６０のロータリソレノイド１６３が取り付けられる。なお、発射レール１７３は、右下端における遊技球の打撃位置から遊技盤１０の発射通路１５に向けて（すなわち外レール部１２の下端近傍のレール面よりも上方に向けて）左斜め上方へ延びるように取り付けられる。
【００３３】
ロータリソレノイド１６３は、ネジ等の固定手段（図示せず）を用いてベースプレート１７１の後面側に取り付けられ、本体部分がベースプレート１７１の後面側に突出している。その一方で、ロータリソレノイド１６３の可動鉄芯１６４は、ベースプレート１７１に形成された穴部１７２を通過してベースプレート１７１の前面側に達するように構成されており、この可動鉄芯１６４にハンマ１６１が連結されるようになっている。このようにして、ハンマ１６１はベースプレート１７１の前面側に取り付けられ、ロータリソレノイド１６３の作動により可動鉄芯１６４を揺動軸として、発射レール１７３に送られた遊技球を打球可能な打球位置と、当該打球位置から右下方に離れた待機位置とに左右方向へ揺動可能に構成される。すなわち、ハンマ１６１は、待機位置から打球位置への揺動により遊技球を遊技領域ＰＡに向けて打球発射するようになっている。具体的には、ロータリソレノイド１６３がオン作動すると、ハンマ１６１がロータリソレノイド１６３の駆動力を受けて待機位置から打球位置へ揺動し、ロータリソレノイド１６３がオフ作動すると、ハンマ１６１が重力を利用して打球位置から待機位置へ揺動するように構成されている。
【００３４】
２つのストッパ部材１６５，１６６は、ＮＢＲ（アクリロニトリル−ブタジエン−ゴム）等の弾性樹脂材料を用いて、弾性を有するブロック状に形成される。第１ストッパ部材１６５は、ベースプレート１７１の前面右側に取り付けられ、待機位置に揺動したハンマ１６１の中央部右側に当接することで、ハンマ１６１の待機位置を超える右方への揺動を規制するようになっている。第２ストッパ部材１６６は、ベースプレート１７１の前面上側に取り付けられ、打球位置に揺動したハンマ１６１の上部右側に当接することで、ハンマ１６１の打球位置を超える左方への揺動を規制するようになっている。
【００３５】
発射制御装置１８０は、図４および図５に示すように、発射制御基板１８１と、発射制御基板１８１を収容する発射基板ケース１８３とを主体に構成された基板ケースユニットである。発射制御基板１８１は、発射ハンドル９と電気的に接続され、発射ハンドル９からの操作信号に基づいてロータリソレノイド１６３の作動を制御する。発射基板ケース１８３は、透明の樹脂材料を用いて発射制御基板１８１を収容可能な箱状に形成され、ネジ等の固定手段（図示せず）を用いて遊技補助盤２０の発射装置取付部２１の前面右側に取り付け固定される。
【００３６】
補助盤カバー１９０は、図５および図１１に示すように、樹脂材料を用いて遊技補助盤２０の前面側を覆う通路状に形成される。補助盤カバー１９０は、ネジ等の固定手段（図示せず）を用いて、発射機構１５０の発射レール１７３と遊技盤１０の外レール部１２（発射通路１５）との間に位置するように、遊技補助盤２０の補助盤カバー取付部２２の前面側に取り付け固定される。補助盤カバー１９０の右側には、発射機構１５０から打球発射された遊技球を通過させる発射ガイド穴１９１が形成される。補助盤カバー１９０の上端部には、発射レール１７３の上端部と外レール部１２の下端部との間において遊技球が落入可能なファール球回収口１９２が上方に開口して形成される。補助盤カバー１９０の上部内側には、ファール球回収口１９２に落入した遊技球をファール球として流下させるファール球回収通路１９３がファール球回収口１９２に繋がって下方に延びるように形成される。補助盤カバー１９０の下部には、遊技補助盤２０の前側下球皿通路２５を通過した遊技球をガラス枠５の下側ダクト部５２に向けて流下させる上側ダクト部１９４が下方に延びて形成される。この上側ダクト部１９４に、ファール球回収通路１９３の下流側が繋がるようになっている。
【００３７】
図５に示すように、遊技補助盤２０における補助盤カバー取付部２２の上部には、上流側が裏機構盤３０の裏側下球皿通路３２と連通するとともに、下流側が補助盤カバー１９０の上側ダクト部１９４と連通した前側下球皿通路２５が形成される。前側下球皿通路２５は、詳細な図示を省略するが、裏機構盤３０の裏側下球皿通路３２を通過した遊技球を補助盤カバー１９０の上側ダクト部１９４およびガラス枠５の下側ダクト部５２に向けて流下させることができるように、前後方向に貫通して形成される。ガラス枠５の下側ダクト部５２は、上流側が上側ダクト部１９４に向けて開口するとともに、下流側が下球皿２２０に向けて開口するように形成されており、補助盤カバー１９０の上側ダクト部１９４を通過した遊技球を下側球通路部材２４０の下側出口通路部２４２を通して下球皿２２０に流出させる。
【００３８】
中継基板ユニット１８５は、図４および図５に示すように、ネジ等の固定手段（図示せず）を用いて、遊技補助盤２０の中継基板取付部２３の前面側に取り付け固定される。遊技補助盤２０における中継基板取付部２３の上方には、上流側が裏機構盤３０の裏側上球皿通路３１と連通するとともに、下流側がガラス枠５の上側出口通路部５１と連通した前側上球皿通路２４が形成される。図１２に示すように、前側上球皿通路２４は、裏機構盤３０の裏側上球皿通路３１を通過した遊技球をガラス枠５の上側出口通路部５１に向けて流下させることができるように、前後方向に貫通して形成される。ガラス枠５の上側出口通路部５１は、下流側が上球皿２１０に向けて開口するように形成されており、遊技補助盤２０の前側上球皿通路２４を通過した遊技球を上球皿２１０に流出させる。
【００３９】
なお、図１２に示すように、裏機構盤３０の下部左側には、上流側が裏側通路部材３６の上側払出通路３７と連通するとともに、下流側が遊技補助盤２０の前側上球皿通路２４と連通した裏側上球皿通路３１が形成される。また、裏機構盤３０の下部左側には、上流側が裏側通路部材３６の下側払出通路３８と連通するとともに、下流側が遊技補助盤２０の前側下球皿通路２５と連通した裏側下球皿通路３２が形成される。裏側上球皿通路３１は、裏側通路部材３６の上側払出通路３７を通過した遊技球を遊技補助盤２０の前側上球皿通路２４に向けて流下させることができるように、前後に貫通して形成される。裏側下球皿通路３２は、裏側通路部材３６の下側払出通路３８を通過した遊技球を遊技補助盤２０の前側下球皿通路２５に向けて流下させることができるように、左右方向に屈曲して貫通するように形成される。
【００４０】
また、裏側通路部材３６は、ネジ等の固定手段（図示せず）を用いて、裏機構盤３０の左下部後面側に着脱可能に取り付け固定される。裏側通路部材３６の内部には、上側払出通路３７および下側払出通路３８が形成される。上側払出通路３７は、上流側が賞球払出ユニット３５の賞球出口部と連通するとともに、下流側が裏機構盤３０の裏側上球皿通路３１と連通し、賞球払出ユニット３５から払い出された遊技球を裏機構盤３０の裏側上球皿通路３１に向けて流下させる。下側払出通路３８は、上側払出通路３７の中間部から下方に分岐して裏機構盤３０の裏側下球皿通路３２と連通し、上球皿２１０が満杯となって上側払出通路３７から溢れ出た遊技球を裏機構盤３０の裏側下球皿通路３２に向けて流下させる。裏側通路部材３６の下部には、下球皿２２０が満杯である状態を検出するための満杯検出手段３９が収容される。満杯検出手段３９は、裏側通路部材３６が裏機構盤３０の左下部後面側に取り付けられた状態で、下球皿２２０が満杯となって裏機構盤３０の裏側下球皿通路３２まで溢れた遊技球を検出可能に構成されている。
【００４１】
［ぱちんこ遊技機の電気的な構成］
次に、図１３のブロック図を参照しながら、第１実施形態に係るぱちんこ遊技機ＰＭ１における発射制御基板１８１を含む電気的な概略構成を説明する。第１実施形態に係るぱちんこ遊技機ＰＭ１は、遊技の進行を制御する主制御基板４０と、演出に関する制御を行う副制御基板４１と、遊技球の払出を制御する払出制御基板４２と、発射機構１５０による遊技球の発射を制御する発射制御基板１８１とを有して構成される。
【００４２】
主制御基板４０は、各種入賞装置の入賞センサ１６ｓ、アウト口１８のアウト球センサ１８ｓ等と電気的に接続される。また、主制御基板４０は、副制御基板４１と電気的に接続され、主制御基板４０から副制御基板４１への一方向通信が可能となるように構成されている。また、主制御基板４０は、払出制御基板４２と電気的に接続され、双方向通信が可能となるように構成されている。また、主制御基板４０は、発射制御基板１８１と電気的に接続され、主制御基板４０から発射制御基板１８１への一方向通信が可能となるように構成されている。
【００４３】
副制御基板４１は、スピーカ８、演出操作手段６１、可動演出装置６２等と電気的に接続される。なお、演出操作手段６１および可動演出装置６２は、ガラス枠５（球皿ユニット部２００）の下部前面側に設けられ、不図示のワイヤーハーネスをガラス枠５のヒンジ側から前枠２の方へ配線し、副制御基板４１と電気的に接続されるようになっている。副制御基板４１は、不図示のサブメイン制御部とサブサブ制御部とを有し、主制御基板４０から出力された情報（信号、コマンド等）に基づいて、サブメイン制御部において演出態様の決定制御が行われ、サブサブ制御部においてサブメイン制御部で決定された演出態様に基づく各種装置の制御が行われるように構成される。
【００４４】
払出制御基板４２は、賞球払出ユニット３５、貸球操作手段６３等と電気的に接続される。なお、貸球操作手段６３は、ガラス枠５（球皿ユニット部２００）の下部前面側に設けられ、不図示のワイヤーハーネス（図示せず）をガラス枠５のヒンジ側から前枠２の方へ配線し、払出制御基板４２と電気的に接続されるようになっている。払出制御基板４２は、主制御基板４０から出力された情報（信号、コマンド等）に基づいて、賞球払出ユニット３５の作動を制御するように構成される。また、払出制御基板４２は、貸球操作手段６３からの操作信号に基づいて、賞球払出ユニット３５の作動を制御するように構成される。
【００４５】
発射制御基板１８１は、発射ハンドル９、発射機構１５０等と電気的に接続される。発射制御基板１８１は、発射ハンドル９からの操作信号に基づいて、発射機構１５０（ロータリソレノイド１６３）の作動を制御するように構成される。
【００４６】
［球皿ユニット部の構成］
次に、図１４〜図１８を追加参照して、ガラス枠５の下部に設けられた球皿ユニット部２００について説明する。球皿ユニット部２００は、図１４および図１５に示すように、上球皿２１０と、下球皿２２０と、上側球通路部材２３０と、下側球通路部材２４０と、通路切り換え部材２５０と、球押さえ部材２６０とを有して構成される。上球皿２１０は、樹脂材料を用いて遊技球を貯留可能な皿状に形成され、ガラス枠５の下部における上側出口通路部５１の前側に取り付けられる。上球皿２１０の底部は右下方に傾斜して形成されており、上球皿２１０に貯留された遊技球が上球皿２１０の右端部に繋がって形成された球供給通路２０１に流れ込むようになっている。上球皿２１０の右端部には、球供給通路２０１の導入部２１１が形成される。この導入部２１１は、上側が開口して平面視Ｕ字形に湾曲した通路状に形成され、上球皿２１０の右端部に流れ込んだ遊技球を上球皿２１０の右後側に導くようになっている。
【００４７】
上球皿２１０の右後側には、ガラス枠５との間に球供給通路２０１の傾斜通路部２１２および上側湾曲部２１３が形成される。傾斜通路部２１２は、上側が開口して左下方に傾斜した通路状に形成され、上流側が球供給通路２０１の導入部２１１に繋がるとともに、下流側が上側湾曲部２１３に繋がるようになっている。傾斜通路部２１２は、上球皿２１０の右端部から球供給通路２０１の導入部２１１に導かれた遊技球を上側湾曲部２１３に向けて流下させる。なお、傾斜通路部２１２の底部には、遊技球に帯電した静電気を除電するためのアース板２７０が取り付けられる。上側湾曲部２１３は、逆Ｌ字形に湾曲した通路状に形成され、上流側が傾斜通路部２１２に繋がるとともに、下流側が上側球通路部材２３０に形成された鉛直通路部２３１に繋がるようになっている。上側湾曲部２１３は、傾斜通路部２１２の下流端に達した遊技球を略鉛直下方に向けて１列に流下させる。
【００４８】
下球皿２２０は、樹脂材料を用いて遊技球を貯留可能な皿状に形成され、ガラス枠５の下部における下側球通路部材２４０の前面側に重なって取り付けられる。下球皿２２０の底部には、開閉部材（図示せず）により開閉可能な球排出口２２１が形成されている。
【００４９】
上側球通路部材２３０は、樹脂材料を用いて左右方向に細長く延びる箱状に形成され、ガラス枠５の下部における上球皿２１０の下方に隣接して取り付けられる。上側球通路部材２３０の中央部には、ガラス枠５との間に球供給通路２０１の鉛直通路部２３１が形成される。鉛直通路部２３１は、略鉛直方向に延びる通路状に形成され、上端部が上球皿２１０に形成された球供給通路２０１の上側湾曲部２１３に繋がるとともに、下端部が下側球通路部材２４０に形成された球抜き通路２４１に繋がるようになっている。
【００５０】
図１５に示すように、上側球通路部材２３０の左側には、鉛直通路部２３１の左側部に連通して切り換え部材収容部２３２が形成される。切り換え部材収容部２３２は、ガラス枠５との間で通路切り換え部材２５０を左右方向にスライド移動自在に収容する。切り換え部材収容部２３２の前壁部内側には、突起状の左固定側バネ取付部２３３が形成される。左固定側バネ取付部２３３は、通路切り換え部材２５０の開口部を通じて内部側に位置した状態で、左コイルバネ２７１の右端部が取り付けられるようになっている。切り換え部材収容部２３２の前壁部左側には、左右方向に延びる長穴状の操作穴２３４が形成される。操作穴２３４には、通路切り換え部材２５０の操作部２５４が挿通されるようになっている。
【００５１】
上側球通路部材２３０の右側には、球押さえ部材収容部２３５が形成される。球押さえ部材収容部２３５は、ガラス枠５との間で球押さえ部材２６０を左右方向にスライド移動自在に収容する。球押さえ部材収容部２３５の前壁部内側には、突起状の右固定側バネ取付部２３６が形成される。右固定側バネ取付部２３６は、球押さえ部材２６０の開口部を通じて内部側に位置した状態で、右コイルバネ２７２の右端部が取り付けられるようになっている。なお、図１４、図１６、図１７において、左コイルバネ２７１および右コイルバネ２７２の図示を省略している。
【００５２】
下側球通路部材２４０は、図１４および図１５に示すように、樹脂材料を用いて左右方向に細長く延びる箱状に形成され、ガラス枠５の下部における上側球通路部材２３０の下方に隣接して取り付けられる。前述したように、下側球通路部材２４０の前面側には下球皿２２０が取り付けられる。上側球通路部材２３０の左側には、ガラス枠５との間に球抜き通路２４１が形成される。球抜き通路２４１は、左下方に傾斜した通路状に形成され、上流側が上側球通路部材２３０に形成された鉛直通路部２３１の下端部に繋がるとともに、下流側が下側出口通路部２４２に繋がるようになっている。下側出口通路部２４２は、上流側がガラス枠５の下側ダクト部５２に繋がるとともに、下流側が下球皿２２０に向けて開口するように形成されており、ガラス枠５の下側ダクト部５２もしくは球抜き通路２４１を通過した遊技球を下球皿２２０に流出させる。
【００５３】
通路切り換え部材２５０は、図１４および図１５に示すように、樹脂材料を用いて左右方向に延びる棒状に形成される。通路切り換え部材２５０の胴部には、上側球通路部材２３０における切り換え部材収容部２３２の内面に摺接可能な左スライド移動部２５１が形成される。この左スライド移動部２５１が、切り換え部材収容部２３２の内部に左右方向にスライド移動可能に収容される。左スライド移動部２５１の右端部には、球供給通路２０１の鉛直通路部２３１を流下する遊技球を受け止めて後方に導くことが可能な湾曲通路部２５２が形成される。これにより、湾曲通路部２５２は、図１６に示すように球供給通路２０１の鉛直通路部２３１を塞ぐ球供給位置と、図１７に示すように鉛直通路部２３１から退く球抜き位置とに、左スライド移動部２５１によって左右方向に移動可能に支持される。
【００５４】
このようにして、通路切り換え部材２５０は、球供給通路２０１の鉛直通路部２３１において略鉛直下方に流下する遊技球を、鉛直通路部２３１の後方に位置する発射機構１５０（整流器１００）および、鉛直通路部２３１の下方に繋がる球抜き通路２４１のうち、いずれか一方に選択的に切り替えて導くことができる。なお、ガラス枠５において鉛直通路部２３１の後壁部を形成する部分には、前後に貫通する連通穴部５３が整流器１００の球入口１１１と重なるように形成されており、この連通穴部５３を介して鉛直通路部２３１の下流側が整流器１００の球入口１１１に繋がるようになっている。
【００５５】
左スライド移動部２５１の後側に、左コイルバネ２７１を収容可能な内部空間が形成される。左スライド移動部２５１の内部側には、突起状の左移動側バネ取付部２５３が形成される。左移動側バネ取付部２５３は、左スライド移動部２５１の内部空間に収容された左コイルバネ２７１の左端部が取り付けられるようになっている。左コイルバネ２７１は、引張コイルバネを用いて形成され、左スライド移動部２５１に対して、湾曲通路部２５２が球供給位置に移動する方向に付勢力を加えるように構成される。左スライド移動部２５１の左前部には、棒状の操作部２５４が前方に突出して形成される。操作部２５４は、上側球通路部材２３０の操作穴２３４に挿通されてガラス枠５の前面側に露出するようになっている。これにより、通常は、左スライド移動部２５１および湾曲通路部２５２が左コイルバネ２７１の付勢力を受けて右方に動き、湾曲通路部２５２が球供給位置に移動する。一方、遊技者等が操作部２５４を左方に移動させる操作を行うと、左スライド移動部２５１および湾曲通路部２５２が左コイルバネ２７１の付勢力に抗して左方に動き、湾曲通路部２５２が球抜き位置に移動する。
【００５６】
球押さえ部材２６０は、図１４および図１５に示すように、樹脂材料を用いて左右方向に延びる棒状に形成される。球押さえ部材２６０の胴部には、上側球通路部材２３０における球押さえ部材収容部２３５の内面に摺接可能な右スライド移動部２６１が形成される。この右スライド移動部２６１が、球押さえ部材収容部２３５の内部に左右方向にスライド移動可能に収容される。右スライド移動部２６１の左端部には、ガラス枠５の連通穴部５３を塞いで遊技球が連通穴部５３を通らないようにすることが可能な薄板状の球押さえ部２６２が形成される。これにより、球押さえ部２６２は、ガラス枠５の連通穴部５３を塞ぐ閉塞位置と、図１６および図１７に示すように連通穴部５３を開く開通位置とに、右スライド移動部２６１によって左右方向に移動可能に支持される。
【００５７】
右スライド移動部２６１の後側に、右コイルバネ２７２を収容可能な内部空間が形成される。右スライド移動部２６１の内部側には、突起状の右移動側バネ取付部２６３が形成される。右移動側バネ取付部２６３は、右スライド移動部２６１の内部空間に収容された右コイルバネ２７２の右端部が取り付けられるようになっている。右コイルバネ２７２は、引張コイルバネを用いて形成され、右スライド移動部２６１に対して、球押さえ部２６２が閉塞位置に移動する方向に付勢力を加えるように構成される。右スライド移動部２６１の後部には、左側に傾斜面を有するアーム部２６４が後方に突出して形成される。アーム部２６４は、ガラス枠５の挿通穴部５４に挿通されてガラス枠５の後面側に露出するようになっている。これにより、ガラス枠５を前枠２に対して開放状態にすると、右スライド移動部２６１および球押さえ部２６２が右コイルバネ２７２の付勢力を受けて左方に動き、球押さえ部２６２が閉塞位置に移動する。一方、ガラス枠５を前枠２に対して閉鎖状態にすると、アーム部２６４の傾斜面が遊技補助盤２０の一部に当接して右方向にも押圧され、右スライド移動部２６１および球押さえ部２６２が右コイルバネ２７２の付勢力に抗して右方に動き、球押さえ部２６２が開通位置に移動する。
【００５８】
第１実施形態のぱちんこ遊技機ＰＭ１において、上球皿２１０に貯留された遊技球は、上球皿２１０の右端部に繋がって形成された球供給通路２０１の導入部２１１に流れ込む。球供給通路２０１の導入部２１１に流れ込んだ遊技球は、上球皿２１０の右後側に導かれて、球供給通路２０１の傾斜通路部２１２および上側湾曲部２１３を流下し、上側球通路部材２３０に形成された鉛直通路部２３１に達する。
【００５９】
通常は、図１６および図１８（ａ）に示すように、通路切り換え部材２５０の左スライド移動部２５１および湾曲通路部２５２が左コイルバネ２７１の付勢力を受けて右方に動き、湾曲通路部２５２が鉛直通路部２３１を塞ぐ球供給位置に移動する。そのため、鉛直通路部２３１に達した遊技球Ｂは、鉛直通路部２３１を略鉛直下方に流下して湾曲通路部２５２で受け止められ、湾曲通路部２５２において後方に進路を変えてガラス枠５の連通穴部５３を通過し、整流器１００の球入口１１１に達する。
【００６０】
整流器１００の球入口１１１に達した遊技球Ｂ（図４を参照）は、球入口１１１を通過して球送り部材１３０の球受容部１３１によって閉鎖された整流通路１０１の上流側に達する。この状態で、発射ハンドル９が回動操作されると、整流ソレノイド１４０がオン作動とオフ作動を繰り返して、整流通路１０１に達した遊技球が１球ずつ発射機構１５０に供給される。
【００６１】
このとき、整流ソレノイド１４０がオン作動すると、球送り部材１３０が球出口閉鎖位置に揺動変位するため、球受容部１３１が整流通路１０１の上流側を流下した遊技球を１球だけ受け入れて保持する。一方、整流ソレノイド１４０がオフ作動すると、球送り部材１３０が球出口開放位置に揺動変位するため、球受容部１３１に保持された遊技球は、球送りレール部１３２に送られて整流通路１０１の下流側を流下し、球出口１２２から発射機構１５０の発射レール１７３上に送り出される。
【００６２】
発射機構１５０の発射レール１７３上に送り出された遊技球は、発射機構１５０のハンマ１６１により遊技盤１０の遊技領域ＰＡに向けて打ち出される。このとき、発射機構１５０のロータリソレノイド１６３がオン作動して可動鉄芯１６４が回転し、それに伴って可動鉄芯１６４と連結されたハンマ１６１が待機位置から打球位置に揺動して、発射レール１７３の所定打撃位置に留置された遊技球を遊技領域ＰＡに向けて打球発射する。なお、ハンマ１６１が揺動して打球位置で停止すると、ロータリソレノイド１６３がオフ作動し、ハンマ１６１が重力を利用して打球位置から待機位置へ揺動する。
【００６３】
このようにして、上球皿２１０から発射機構１５０の発射レール１７３上に送り出された遊技球がハンマ１６１により打ち出されると、打ち出された遊技球が発射レール１７３上を通過し、発射レール１７３の上端部から補助盤カバー１９０の発射ガイド穴１９１およびファール球回収口１９２を飛び抜けて、遊技盤１０における外レール部１２の下端近傍のレール面上に達する。外レール部１２の下端近傍のレール面上に達した遊技球は、そのまま外レール部１２に沿って発射通路１５を通過し遊技領域ＰＡに導かれる。ハンマ１６１により打ち出された遊技球のうち、遊技領域ＰＡに到達した遊技球は、遊技領域ＰＡを転動落下し、遊技領域ＰＡ内に設けられた各種入賞装置に入賞させる遊技が行われる。
【００６４】
一方、ハンマ１６１により打ち出された遊技球のうち、遊技領域ＰＡに到達できずに外レール部１２に沿って戻ってきた遊技球は、発射レール１７３に到達することなくファール球回収口１９２に落入し、補助盤カバー１９０のファール球回収通路１９３および上側ダクト部１９４を流下してガラス枠５の下側ダクト部５２に達する。ガラス枠５の下側ダクト部５２に達した遊技球は、下側ダクト部５２を流下して下側球通路部材２４０の下側出口通路部２４２を通過し、下球皿２２０に流出して貯留される。
【００６５】
ところで、遊技者等が通路切り換え部材２５０の操作部２５４を左方に移動させる操作を行うと、図１７および図１８（ｂ）に示すように、左スライド移動部２５１および湾曲通路部２５２が左コイルバネ２７１の付勢力に抗して左方に動き、湾曲通路部２５２が鉛直通路部２３１から退く球抜き位置に移動する。そのため、鉛直通路部２３１に達した遊技球Ｂは、鉛直通路部２３１を略鉛直下方に流下して鉛直通路部２３１の下流端に繋がる球抜き通路２４１の上流端に導かれる。下側球通路部材２４０の球抜き通路２４１に導かれた遊技球は、球抜き通路２４１を流下して下側出口通路部２４２を通過し、下球皿２２０に流出して貯留される。
【００６６】
［第１実施形態における特徴構成］
［球皿ユニットの特徴構成］
第１実施形態において、球供給通路２０１の下流側は、鉛直通路部２３１を有して遊技球を略鉛直下方に流下させるように形成されており、鉛直通路部２３１において略鉛直下方に流下する遊技球を発射機構１５０および球抜き通路２４１のうちいずれか一方に選択的に切り替えて導く通路切り換え部材２５０が設けられている。これにより、球供給通路２０１の下流側に遊技球が残ることなく、通路切り換え部材２５０を用いて上球皿２１０に貯留された遊技球を下球皿２２０に抜き出すことが可能になる。また、通路切り換え部材２５０が配置される球供給通路２０１の鉛直通路部２３１の下方に、球抜き通路２４１が設けられているため、従来のように、球供給通路の途中から球抜き通路が分岐する部分において、球供給通路を流下する遊技球が球抜き通路側にずれて詰まる現象（いわゆるブリッジと称される現象）が生じることがない。そのため、上球皿２１０から下球皿２２０への遊技球の球抜きをスムーズに行うことができる。
【００６７】
また、通路切り換え部材２５０により発射機構１５０の方に切り替えられて導かれる遊技球を１球ずつ発射機構１５０に送る整流器１００が、発射機構１５０の前側に取り付けられている。これにより、整流器１００がガラス枠５の後面側に取り付けられていないため、鉛直通路部２３１が形成される上側球通路部材２３０および通路切り換え部材２５０の構成を簡便にすることができる。
【００６８】
また、通路切り換え部材２５０は、鉛直通路部２３１において略鉛直下方に流下する遊技球を発射機構１５０に導くことが可能な湾曲通路部２５２と、湾曲通路部２５２を前述の球供給位置と球抜き位置とに移動可能に支持する左スライド移動部２５１と、湾曲通路部２５２が球供給位置に移動する方向に付勢力を加える左コイルバネ２７１と、湾曲通路部２５２を左コイルバネ２７１の付勢力に抗して球抜き位置に移動させる操作が行われる操作部２５４とを有している。これにより、遊技者等が操作部２５４を操作することで、上球皿２１０から下球皿２２０への遊技球の球抜きをスムーズに行うことができる。
【００６９】
［発射制御装置の特徴構成］
第１実施形態において、発射制御装置１８０は、前枠２における球皿ユニット部２００の後方側（すなわち、遊技補助盤２０）に、発射機構１５０と隣り合うように設けられている。これにより、遊技補助盤２０の前面側において発射機構１５０と発射制御装置１８０とを電気的に接続することが可能になる。そのため、前枠２（遊技補助盤２０）に比較的大きな開口を設ける必要がなくなり、ぱちんこ遊技機ＰＭ１の後側への不正なアクセスを防止することができる。
【００７０】
［第２実施形態］
次に、弾球遊技機の第２実施形態について、図１９〜図２１を参照しながら説明する。第２実施形態のぱちんこ遊技機ＰＭ２は、ガラス枠３０５および補助盤カバー３９０の構成を除いて、第１実施形態のぱちんこ遊技機ＰＭ１と同様の構成であり、同一の部材に同一の符号を付して、詳細な説明を省略する。第２実施形態のガラス枠３０５は、第１実施形態と同様に、上下のヒンジ機構３ａ，３ｂを利用して前枠２の前面側に横開き開閉および着脱可能に組み付けられる。また、ガラス枠３０５は、第１実施形態と同様に施錠装置４を利用して、常には前枠２の前面を覆う閉鎖状態に保持され、ガラス枠３０５の複層ガラス３０５ａを通して、遊技盤１０の前面に設けられた遊技領域ＰＡを視認可能に臨ませるようになっている。
【００７１】
ガラス枠３０５の下部には、第１実施形態と同様に、球皿ユニット部２００の上下の球皿（上球皿２１０および下球皿２２０）が設けられる。なお、ガラス枠３０５（球皿ユニット部２００）の下部における下球皿２２０の右方には、例えば、演出操作手段６１、可動演出装置６２、貸球操作手段６３等の電気部品を取り付けることができる。ガラス枠３０５の上部前面側には、第１実施形態と同様に、発光ダイオード（ＬＥＤ）やランプ等の電飾装置（図示せず）や、スピーカ８が設けられる。
【００７２】
ガラス枠３０５の上側出口通路部３５１は、第１実施形態と同様に形成され、遊技補助盤２０の前側上球皿通路２４を通過した遊技球を上球皿２１０に流出させる。ガラス枠３０５の下側ダクト部３５２は、第１実施形態と同様に形成され、補助盤カバー３９０の上側ダクト部（図示せず）を通過した遊技球を下側球通路部材２４０の下側出口通路部２４２を通して下球皿２２０に流出させる。ガラス枠３０５の連通穴部（図示せず）は、第１実施形態と同様に、整流器１００の球入口１１１と重なるように形成される。ガラス枠３０５の挿通穴部（図示せず）も、第１実施形態と同様に形成される。
【００７３】
ガラス枠３０５の下部における上球皿２１０の後側には、発射レール１７３の上端部と外レール部１２の下端部との間において遊技球が落入可能なファール球回収口３５６が上方に開口して形成される。ガラス枠３０５の下部における上球皿２１０の後側には、ファール球回収口３５６に落入した遊技球をファール球として流下させるファール球回収通路３５７がファール球回収口３５６に繋がって形成される。ファール球回収通路３５７は、ファール球回収口３５６から右下方に傾斜して形成され、球供給通路２０１における傾斜通路部２１２の下流端近傍に繋がるようになっている。
【００７４】
第２実施形態の補助盤カバー３９０は、樹脂材料を用いて遊技補助盤２０の前面側を覆う通路状に形成される。第２実施形態の補助盤カバー３９０は、第１実施形態と同様の上側ダクト部（図示せず）のみを有した構成となっている。補助盤カバー３９０は、ネジ等の固定手段（図示せず）を用いて、発射機構１５０の発射レール１７３と遊技盤１０の外レール部１２（発射通路１５）との間の下方に位置するように、遊技補助盤２０の補助盤カバー取付部２２の前面側に取り付け固定される。
【００７５】
第２実施形態のぱちんこ遊技機ＰＭ２において、第１実施形態と同様にして、上球皿２１０に貯留された遊技球が発射機構１５０の発射レール１７３上に送り出される。発射機構１５０の発射レール１７３上に送り出された遊技球は、第１実施形態と同様に、発射機構１５０のハンマ１６１により遊技盤１０の遊技領域ＰＡに向けて打ち出される。上球皿２１０から発射機構１５０の発射レール１７３上に送り出された遊技球がハンマ１６１により打ち出されると、打ち出された遊技球が発射レール１７３上を通過し、発射レール１７３の上端部からファール球回収口３５６を飛び越えて、遊技盤１０における外レール部１２の下端近傍のレール面上に達する。外レール部１２の下端近傍のレール面上に達した遊技球は、そのまま外レール部１２に沿って発射通路１５を通過し遊技領域ＰＡに導かれる。ハンマ１６１により打ち出された遊技球のうち、遊技領域ＰＡに到達した遊技球は、遊技領域ＰＡを転動落下し、遊技領域ＰＡ内に設けられた各種入賞装置に入賞させる遊技が行われる。
【００７６】
一方、ハンマ１６１により打ち出された遊技球のうち、遊技領域ＰＡに到達できずに外レール部１２に沿って戻ってきた遊技球は、発射レール１７３に到達することなくファール球回収口３５６に落入し、ファール球回収通路３５７を流下して球供給通路２０１における傾斜通路部２１２の下流端近傍に達する。傾斜通路部２１２の下流端近傍に戻された遊技球は、通常、上側湾曲部２１３を流下して、上側球通路部材２３０に形成された鉛直通路部２３１に達し、第１実施形態と同様にして、再び発射機構１５０の発射レール１７３上に送り出される。なお、遊技者等が通路切り換え部材２５０の操作部２５４を左方に移動させる操作を行った場合、傾斜通路部２１２の下流端近傍に戻された遊技球は、第１実施形態と同様に、上側湾曲部２１３および鉛直通路部２３１を流下して、球抜き通路２４１の上流端に導かれる。下側球通路部材２４０の球抜き通路２４１に導かれた遊技球は、球抜き通路２４１を流下して下側出口通路部２４２を通過し、下球皿２２０に流出して貯留される。
【００７７】
［第２実施形態における特徴構成］
［ファール球回収通路の特徴構成］
第２実施形態において、上球皿２１０の後側に、発射機構１５０と外レール部１２との間に設けられたファール球回収口３５６に落入した遊技球を球供給通路２０１に導くファール球回収通路３５７が設けられている。これにより、ファール球回収口３５６に落入した遊技球がファール球として球供給通路２０１に戻されるため、従来のように下球皿に排出されたファール球を手作業で上球皿に戻す手間を省くことができる。また、球供給通路２０１からファール球回収通路３５７を介して遊技盤１０に不正にアクセスするのは困難であることから、遊技盤１０に対する不正なアクセスを防止しつつ、ファール球を効率よく再使用することが可能になる。
【００７８】
また、ファール球回収通路３５７は、ファール球回収口３５６に落入した遊技球を球供給通路２０１における傾斜通路部２１２の下流端近傍に導くように構成されている。これにより、前方から見えにくくアクセスしにくい傾斜通路部２１２の下流端近傍に、ファール球が戻されるため、遊技盤１０に対する不正なアクセスを防止しつつ、ファール球を効率よく再使用することができる。
【００７９】
［球皿ユニットの特徴構成］
第２実施形態において、第１実施形態と同様、鉛直通路部２３１において略鉛直下方に流下する遊技球を発射機構１５０および球抜き通路２４１のうちいずれか一方に選択的に切り替えて導く通路切り換え部材２５０が設けられている。これにより、第１実施形態と同様に、上球皿２１０から下球皿２２０への遊技球の球抜きをスムーズに行うことができる。
【００８０】
また、第１実施形態と同様に、整流器１００が発射機構１５０の前側に取り付けられている。これにより、第１実施形態と同様に、鉛直通路部２３１が形成される上側球通路部材２３０および通路切り換え部材２５０の構成を簡便にすることができる。
【００８１】
また、第１実施形態と同様に、通路切り換え部材２５０は、湾曲通路部２５２と、左スライド移動部２５１と、左コイルバネ２７１と、操作部２５４とを有している。これにより、第１実施形態と同様に、上球皿２１０から下球皿２２０への遊技球の球抜きをスムーズに行うことができる。
【００８２】
［発射制御装置の特徴構成］
第２実施形態において、発射制御装置１８０は、第１実施形態と同様に、発射機構１５０と隣り合うように設けられている。これにより、第１実施形態と同様に、ぱちんこ遊技機ＰＭ２の後側への不正なアクセスを防止することができる。
【００８３】
［第３実施形態］
次に、弾球遊技機の第３実施形態について、図２２〜図２３を参照しながら説明する。第３実施形態のぱちんこ遊技機ＰＭ３は、ガラス枠４０５および発射制御装置４８０の構成を除いて、第１実施形態のぱちんこ遊技機ＰＭ１と同様の構成であり、同一の部材に同一の符号を付して、詳細な説明を省略する。図２２に示すように、第３実施形態のガラス枠４０５は、第１実施形態と同様に、上下のヒンジ機構３ａ，３ｂを利用して前枠２の前面側に横開き開閉および着脱可能に組み付けられる。また、ガラス枠４０５は、第１実施形態と同様に施錠装置４を利用して、常には前枠２の前面を覆う閉鎖状態に保持され、ガラス枠４０５の複層ガラス４０５ａを通して、遊技盤１０の前面に設けられた遊技領域ＰＡを視認可能に臨ませるようになっている。
【００８４】
ガラス枠４０５の下部には、第１実施形態と同様に、球皿ユニット部２００の上下の球皿（上球皿２１０および下球皿２２０）が設けられる。なお、ガラス枠４０５（球皿ユニット部２００）の下部における下球皿２２０の右方には、例えば、演出操作手段６１、可動演出装置６２、貸球操作手段６３等の電気部品を取り付けることができる。ガラス枠４０５の上部前面側には、第１実施形態と同様に、発光ダイオード（ＬＥＤ）やランプ等の電飾装置（図示せず）や、スピーカ８が設けられる。
【００８５】
ガラス枠４０５の上側出口通路部４５１は、第１実施形態と同様に形成され、遊技補助盤２０の前側上球皿通路２４を通過した遊技球を上球皿２１０に流出させる。ガラス枠４０５の下側ダクト部４５２は、第１実施形態と同様に形成され、補助盤カバー１９０の上側ダクト部１９４を通過した遊技球を下側球通路部材２４０の下側出口通路部２４２を通して下球皿２２０に流出させる。ガラス枠４０５の連通穴部４５３は、第１実施形態と同様に、整流器１００の球入口１１１と重なるように形成される。ガラス枠４０５の挿通穴部４５４も、第１実施形態と同様に形成される。
【００８６】
ガラス枠４０５（球皿ユニット部２００）の下部における下球皿２２０の右方後面側には、前側コネクタ４５８が後方を向いて配設される。前側コネクタ４５８は、演出操作手段６１、可動演出装置６２、貸球操作手段６３等の電気部品と電気的に接続される。
【００８７】
第３実施形態の発射制御装置４８０は、発射制御基板４８１と、発射制御基板４８１を収容する発射基板ケース４８３とを主体に構成された基板ケースユニットである。発射制御基板４８１は、発射ハンドル９と電気的に接続され、発射ハンドル９からの操作信号に基づいてロータリソレノイド１６３の作動を制御する。発射基板ケース４８３は、透明の樹脂材料を用いて発射制御基板４８１を収容可能な箱状に形成され、ネジ等の固定手段（図示せず）を用いて遊技補助盤２０の発射装置取付部２１の前面右側に取り付け固定される。発射制御基板４８１の前面側には、前側コネクタ４５８と嵌合接続可能な後側コネクタ４８２が前方を向いて配設される。後側コネクタ４８２は、発射基板ケース４８３の前面側において前方に露出するように配置され、ガラス枠４０５の開閉着脱に応じて、前側コネクタ４５８と電気的に接続分離可能に構成される。
【００８８】
［ぱちんこ遊技機の電気的な構成］
次に、図２３のブロック図を参照しながら、第３実施形態に係るぱちんこ遊技機ＰＭ３における発射制御基板４８１を含む電気的な概略構成を説明する。第３実施形態に係るぱちんこ遊技機ＰＭ３は、第１実施形態と同様に、主制御基板４０と、副制御基板４１と、払出制御基板４２と、発射制御基板４８１とを有して構成される。
【００８９】
主制御基板４０は、各種入賞装置の入賞センサ１６ｓ、アウト口１８のアウト球センサ１８ｓ等と電気的に接続される。また、主制御基板４０は、副制御基板４１と電気的に接続され、主制御基板４０から副制御基板４１への一方向通信が可能となるように構成されている。また、主制御基板４０は、払出制御基板４２と電気的に接続され、双方向通信が可能となるように構成されている。また、主制御基板４０は、発射制御基板４８１と電気的に接続され、主制御基板４０から発射制御基板４８１への一方向通信が可能となるように構成されている。
【００９０】
副制御基板４１は、スピーカ８等と電気的に接続される。また、副制御基板４１は、発射制御基板４８１と電気的に接続される。払出制御基板４２は、賞球払出ユニット３５等と電気的に接続される。また、払出制御基板４２は、発射制御基板４８１と電気的に接続される。なお、主制御基板４０、副制御基板４１、および払出制御基板４２は、第１実施形態と同様に構成される。
【００９１】
発射制御基板４８１は、発射ハンドル９、発射機構１５０等と電気的に接続される。発射制御基板４８１は、発射ハンドル９からの操作信号に基づいて、発射機構１５０（ロータリソレノイド１６３）の作動を制御するように構成される。また、発射制御基板４８１は、演出操作手段６１、可動演出装置６２、貸球操作手段６３等と電気的に接続される。これにより、演出操作手段６１および可動演出装置６２は、発射制御基板４８１を介して副制御基板４１と電気的に接続される。また、貸球操作手段６３は、発射制御基板４８１を介して払出制御基板４２と電気的に接続される。
【００９２】
第３実施形態のぱちんこ遊技機ＰＭ３において、第１実施形態と同様にして、上球皿２１０に貯留された遊技球が発射機構１５０の発射レール１７３上に送り出される。発射機構１５０の発射レール１７３上に送り出された遊技球は、第１実施形態と同様に、発射機構１５０のハンマ１６１により遊技盤１０の遊技領域ＰＡに向けて打ち出される。ハンマ１６１により打ち出された遊技球のうち、遊技領域ＰＡに到達した遊技球は、第１実施形態と同様に遊技領域ＰＡを転動落下し、遊技領域ＰＡ内に設けられた各種入賞装置に入賞させる遊技が行われる。一方、ハンマ１６１により打ち出された遊技球のうち、遊技領域ＰＡに到達できずに外レール部１２に沿って戻ってきた遊技球は、第１実施形態と同様に、ファール球回収口１９２に落入してファール球回収通路１９３を流下し、下球皿２２０に流出して貯留される。
【００９３】
なお、ガラス枠４０５を前枠２に対して開放状態にすると、ガラス枠４０５の前側コネクタ４５８と発射制御装置４８０の後側コネクタ４８２とが分離して離れる。またこのとき、球押さえ部材２６０の右スライド移動部２６１および球押さえ部２６２が右コイルバネ２７２の付勢力を受けて左方に動き、球押さえ部２６２がガラス枠４０５の連通穴部４５３を塞ぐ閉塞位置に移動する。一方、ガラス枠５を前枠２に対して閉鎖状態にすると、ガラス枠４０５の前側コネクタ４５８と発射制御装置４８０の後側コネクタ４８２とが嵌合接続され、発射制御基板４８１が、演出操作手段６１、可動演出装置６２、貸球操作手段６３等と電気的に接続される。またこのとき、球押さえ部材２６０のアーム部２６４の傾斜面が遊技補助盤２０の一部に当接して右方向にも押圧され、右スライド移動部２６１および球押さえ部２６２が右コイルバネ２７２の付勢力に抗して右方に動き、球押さえ部２６２がガラス枠４０５の連通穴部４５３を開通する開通位置に移動する。
【００９４】
［第３実施形態における特徴構成］
［発射制御装置の特徴構成］
第３実施形態において、発射制御装置４８０は、前枠２における球皿ユニット部２００の後方側（すなわち、遊技補助盤２０）に、発射機構１５０と隣り合うように設けられている。これにより、遊技補助盤２０の前面側において発射機構１５０と発射制御装置４８０とを電気的に接続することが可能になる。そのため、前枠２（遊技補助盤２０）に比較的大きな開口を設ける必要がなくなり、ぱちんこ遊技機ＰＭ３の後側への不正なアクセスを防止することができる。
【００９５】
また、発射制御装置４８０の前面側に、ガラス枠４０５（球皿ユニット２００）の開閉着脱に応じて前側コネクタ４５８と電気的に接続分離可能な後側コネクタ４８２が設けられている。これにより、演出操作手段６１および可動演出装置６２を、ガラス枠４０５のヒンジ側から前枠２の方へ配線することなく、発射制御基板４８１を介して副制御基板４１と電気的に接続させることができる。また、貸球操作手段６３を、ガラス枠４０５のヒンジ側から前枠２の方へ配線することなく、発射制御基板４８１を介して払出制御基板４２と電気的に接続させることができる。そのため、ガラス枠４０５（球皿ユニット部２００）の下部における下球皿２２０の右方に、演出操作手段６１、可動演出装置６２、貸球操作手段６３等の電気部品を取り付ける場合に、これらの電気部品と制御基板（副制御基板４１および払出制御基板４２）との間の配線を簡便にすることができる。
【００９６】
［球皿ユニットの特徴構成］
第３実施形態において、第１実施形態と同様、鉛直通路部２３１において略鉛直下方に流下する遊技球を発射機構１５０および球抜き通路２４１のうちいずれか一方に選択的に切り替えて導く通路切り換え部材２５０が設けられている。これにより、第１実施形態と同様に、上球皿２１０から下球皿２２０への遊技球の球抜きをスムーズに行うことができる。
【００９７】
また、第１実施形態と同様に、整流器１００が発射機構１５０の前側に取り付けられている。これにより、第１実施形態と同様に、鉛直通路部２３１が形成される上側球通路部材２３０および通路切り換え部材２５０の構成を簡便にすることができる。
【００９８】
また、第１実施形態と同様に、通路切り換え部材２５０は、湾曲通路部２５２と、左スライド移動部２５１と、左コイルバネ２７１と、操作部２５４とを有している。これにより、第１実施形態と同様に、上球皿２１０から下球皿２２０への遊技球の球抜きをスムーズに行うことができる。
【００９９】
［変形例］
上述の各実施形態において、発射ハンドル９は、ハンドルベース９１とともにユニット化されて前枠２の右下部に取り付けられ、ハンドルベース９１の上側にキーカバー９２が取り付けられているが、これに限られるものではない。例えば、図２４および図２５に示すように、発射ハンドル９は、前枠２の右下部における施錠装置４の周辺部まで覆うことが可能な（キーカバーと一体化された）ハンドルベース４９１とともにユニット化されて、前枠２の右下部に取り付けられるようにしてもよい。これにより、上述の各実施形態においてハンドルベース９１とキーカバー９２との間に生じる隙間を無くすことができるため、ぱちんこ遊技機の後側への不正なアクセスを防止することができる。
【０１００】
上述の各実施形態において、図２４および図２５に示すように、遊技補助盤２０の発射装置取付部２１に、整流器１００の球入口１１１を露出させた状態で、整流器１００、発射機構１５０、および発射制御装置１８０（４８０）を一体的に覆う箱状の発射装置カバー４９６が取り付けられるようにしてもよい。これにより、整流器１００、発射機構１５０、および発射制御装置１８０（４８０）に対する不正なアクセスを防止することができ、さらには、遊技補助盤２０の後側への不正なアクセスを防止することができる。
【０１０１】
上述の各実施形態において、ガラス枠の下部に球皿ユニット部２００が設けられているが、これに限られるものではなく、球皿ユニット部２００が、ガラス枠の下方に別体に設けられて、遊技補助盤２０に対して開閉着脱可能に構成されてもよい。なおこの場合、球皿ユニット部２００における上球皿２１０の後側に、第２実施形態のファール球回収口３５６およびファール球回収通路３５７が設けられる。またこの場合、球皿ユニット部２００における下球皿２２０の右方後面側に、前側コネクタ４５８が設けられる。
【０１０２】
上述の第３実施形態において、前側コネクタ４５８は、演出操作手段６１、可動演出装置６２、貸球操作手段６３と電気的に接続されているが、これに限られるものではない。例えば、演出操作手段６１、可動演出装置６２、貸球操作手段６３等の数に応じて、複数組の前側コネクタおよび後側コネクタを設けるようにしてもよい。また、前側コネクタ４５８は、演出操作手段６１、可動演出装置６２、貸球操作手段６３に加え、発光ダイオード（ＬＥＤ）やランプ等の電飾装置（図示せず）や、スピーカ８と電気的に接続されるようにしてもよい。
【０１０３】
上述の各実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。
【符号の説明】
【０１０４】
ＰＭ１  ぱちんこ遊技機（弾球遊技機の第１実施形態）
ＰＡ  遊技領域
１  外枠
２  前枠
９  発射ハンドル
１０  遊技盤
１２  外レール部（飛送レール）
２０  遊技補助盤
２１  発射装置取付部
６１  演出操作手段
６２  可動演出装置
６３  貸球操作手段
１００  整流器
１５０  発射機構
１８０  発射制御装置
１８１  発射制御基板
１８３  発射基板ケース
２００  球皿ユニット部
２０１  球供給通路
２１０  上球皿
２１１  導入部
２１２  傾斜通路部
２１３  上側湾曲部
２２０  下球皿
２３０  上側球通路部材
２３１  鉛直通路部
２４０  下側球通路部材
２４１  球抜き通路
２５０  通路切り換え部材
２５１  左スライド移動部（支持部）
２５２  湾曲通路部（切り換え通路部）
２５４  操作部
２７１  左コイルバネ（付勢手段）
ＰＭ２  ぱちんこ遊技機（弾球遊技機の第２実施形態）
３０５  ガラス枠
３５６  ファール球回収口
３５７  ファール球回収通路
ＰＭ３  ぱちんこ遊技機（弾球遊技機の第３実施形態）
４０５  ガラス枠
４５８  前側コネクタ
４８０  発射制御装置
４８１  発射制御基板
４８２  後側コネクタ
４８３  発射基板ケース
【図１】
2015202194.tif 000003
【図２】
2015202194.tif 000004
【図３】
2015202194.tif 000005
【図４】
2015202194.tif 000006
【図５】
2015202194.tif 000007
【図６】
2015202194.tif 000008
【図７】
2015202194.tif 000009
【図８】
2015202194.tif 000010
【図９】
2015202194.tif 000011
【図１０】
2015202194.tif 000012
【図１１】
2015202194.tif 000013
【図１２】
2015202194.tif 000014
【図１３】
2015202194.tif 000015
【図１４】
2015202194.tif 000016
【図１５】
2015202194.tif 000017
【図１６】
2015202194.tif 000018
【図１７】
2015202194.tif 000019
【図１８】
2015202194.tif 000020
【図１９】
2015202194.tif 000021
【図２０】
2015202194.tif 000022
【図２１】
2015202194.tif 000023
【図２２】
2015202194.tif 000024
【図２３】
2015202194.tif 000025
【図２４】
2015202194.tif 000026
【図２５】
2015202194.tif 000027